(57)【特許請求の範囲】
【請求項１】
身体の各部を押圧しあるいは牽引するための複数種類の作用部を備える健康器具であって、
中央開口を囲むように配置した方形枠部を備えるとともに、
上記方形枠部の上記中央開口を挟んで対向する一方の２辺の外側において、上記枠部からそれぞれ一体的に延出して伸びる略Ｊ字状の作用部と、
上記方形枠部の上記中央開口を挟んで対向する他方の２辺の外側において、互いに対向して上記枠部から一体的に延出するそれぞれ一対の腕部と、
各一対の上記腕部の先端に一体形成されるとともに、外側に向けて開口する略Ｃ字状又は円環状の作用部とを備え、
上記各作用部及び上記腕部を上記枠部を含む同一平面に沿って配置した、健康器具。
【請求項２】
上記中央開口を挟んで対向する一方の２辺の外側に、異なる大きさの略Ｊ字状の作用部をそれぞれ配置した、請求項１に記載の健康器具。
【請求項３】
上記枠部に、上記略Ｊ字状作用部の端部に対して所定間隔を開けて対向する突起状作用部を形成した、請求項１又は請求項２のいずれかに記載の健康器具。
【請求項４】
上記枠部の内側部及び／又は上記腕部の内側部に、上記枠部を含む平面に沿って突出する一又は二以上の突起状作用部を設けた、請求項１から請求項３のいずれかに記載の健康器具。
【請求項５】
上記枠部及び／又は腕部に、上記枠部を含む平面に対して立ち上がるように突出する一又は二以上の押圧突起を設けた、請求項１から請求項４のいずれかに記載の健康器具。
【発明の詳細な説明】
【０００１】
【発明の属する技術分野】
本願発明は、健康器具に関する。詳しくは、身体の各部を押圧しあるいは牽引することのできる複数の作用部を一体形成した健康器具に関する。
【０００２】
【従来の技術】
身体の各部を押圧するための種々の指圧用具が考案されている。たとえば、特開平８−３２２９０３号公報に記載されているもののようなＴ字状の指圧用具や、特開昭６１−３５０号公報に記載されているＪ字状の指圧用具等を挙げることができる。これらの指圧用具は、作用部の先端を身体の各部にあてがって押圧するように構成されている。
【０００３】
【発明が解決しようとする課題】
血行促進等の十分な指圧効果を発揮させるには、症状等に応じて、身体の複数箇所を押圧する必要がある。ところが、上述したような従来の指圧器具は、使用者自身で操作をする場合には押圧できる部位が非常に限られる。このため、複数の指圧用具をそろえたり、他人の助けを借りなければ十分な効果を得ることはできない。
【０００４】
また、指圧効果を高めるには、押圧することにより筋肉に刺激を加えるだけではなく、筋肉の伸張・収縮運動を組み合わせるのがよいとされる。ところが、上記のような従来の指圧器具は単に押圧操作のみに用いられるように構成されたものが多く、身体各部の筋肉を伸長・収縮させるために利用できるものはなかった。
【０００５】
さらに、従来の指圧器具においては、使用者自身で効果的な押圧操作をするには相当な力を必要とし、使用者の腕等に大きな負担が生じた。このため、かえって疲れが増加することも多かった。
【０００６】
本願発明は、上記従来の問題を解決し、複数の作用部を一体的に備えるとともに、使用者自ら身体の種々の部分を押圧することができ、しかも、牽引操作、捩じり操作等種々の操作を行うこができる健康器具を提供することをその課題とする。
【０００７】
【課題を解決するための手段】
上記課題を解決するため、本願発明では、次の技術的手段を講じている。
本願の請求項１に記載した発明は、身体の各部を押圧しあるいは牽引するための複数種類の作用部を備える健康器具であって、中央開口を囲むように配置した方形枠部を備えるとともに、上記方形枠部の上記中央開口を挟んで対向する一方の２辺の外側において、上記枠部からそれぞれ一体的に延出して伸びる略Ｊ字状の作用部と、上記方形枠部の上記中央開口を挟んで対向する他方の２辺の外側において、互いに対向して上記枠部から一体的に延出するそれぞれ一対の腕部と、各一対の上記腕部の先端に一体形成されるとともに、外側に向けて開口する略Ｃ字状又は円環状の作用部とを備え、上記各作用部及び上記腕部を上記枠部を含む同一平面に沿って配置したものである。
【０００８】
一つの器具で身体の各部を押圧操作するには、器具に複数種類の作用部を設ける必要がある。本願発明に係る健康器具は、中央開口を囲む枠部の周囲に複数種類の作用部を配置して大略構成される。
【０００９】
複数の作用部を設ける場合、隣合う作用部が使用中に身体等と干渉しないようにする必要があり、これら隣合う作用部の間にある程度の間隔を設ける必要がある。このため、複数の作用部を設けようとすると、健康器具自体が大型化するとともに重量等が増加するといった問題も生じやすい。本願発明は、方形枠部の周囲に各作用部を配置することにより、寸法や重量をほとんど増加させることなく上記問題を解決している。
【００１０】
また、本願発明に係る健康器具は、上記枠部、上記腕部及び作用部を一つの平面に沿って配置することにより、健康器具全体を平板的な構造物に構成している。このため、製造が容易であるばかりでなく、収納場所に困ることもない。さらに、中央開口を囲む枠構造を採用しているため、軽量化を図ることが可能となり、取り扱いも容易になる。
【００１１】
しかも、中央開口を囲むように形成した枠部をつかんで、健康器具を操作することができる。すなわち、操作する際の握持位置の自由度が大幅に高まり、さまざまな態様で器具を使用することが可能になる。たとえば、両手で器具を操作したり、揺動させたりすることも容易にできる。また、使用者の体型、運動能力等に応じて握持位置を容易に変更できる。このため、健康者のみならず、運動障害等のある者も使用することができる。
【００１２】
さらに、開口部に身体の一部を係止して筋肉を伸張させたり、腕部、足部を挿入して捩じり操作を行うこともできる。このため、従来の指圧用具では得られなかった複合効果を期待することができ、リハビリに用いることもできる。
【００１３】
本願の発明は、中央開口を囲むように配置した方形枠部の各辺の外側に上記作用部を配置したものである。
【００１４】
本願発明は、方形枠部を採用しているため、４つの作用部を枠部を構成する各辺に形成できる。しかも、各作用部を、適度な間隔及び角度で配置できるため、使用の際に干渉することがない非常にバランスのよい健康器具を形成することができる。また、上記中央開口が方形形状となるため、身体に捩じり操作を加えるのに都合がよい。
【００１５】
本願発明に係る健康器具は、上記枠部から一体的に延出して略Ｊ字状に伸びる作用部を設けたものである。
【００１６】
上記略Ｊ字状の作用部の先端部を用いて、肩部、背部、あるいは足裏部を押圧できる。本願発明においては、枠部から上記略Ｊ字状の作用部が延出形成されているため、上記枠部を握持して押圧操作を行うことができる。
【００１７】
本願発明では、上記方形枠部の上記中央開口を挟んで対向する他方の２辺の外側において、互いに対向して上記枠部から一体的に延出するそれぞれ一対の腕部を設ける。そして、上記各一対の上記腕部の先端に一体形成されるとともに、外側に向けて開口する略Ｃ字状又は円環状の作用部を設けている。
【００１８】
従来の指圧器具は、作用部として単に突起を形成しただけのものが多いため、手足の指部、甲部等を使用者自ら押圧することは困難であった。
【００１９】
本願発明に係る略Ｃ字状の作用部は、Ｃ字開口部に指部、甲部等を挿入係止した状態で、器具の重量を作用させ、あるいは枠部等を握持して牽引力を作用させることができる。このため、従来の指圧用具では困難であった足の指部に適用することもできる。
【００２０】
また、Ｃ字開口端部を利用して、うなじを挟むようにして頸部を押圧することも可能となり、従来にない効果を発揮できる。
【００２１】
さらに、上記略Ｃ字状の作用部及び／又は円環状の作用部は、上記枠部から一体的に延出する一対の腕部の先端部に形成されている。
【００２２】
上述したように、上記Ｃ字状作用部及び上記円環状作用部は、手足の末端部分を係止して押圧操作あるいは牽引操作を行うように構成される。このため、これらの作用部が枠部からある程度離間していないと、身体を係止するのが困難であったり、握持した腕から牽引力等を作用させにくい。本願発明に係る健康器具においては、枠部から延出する腕部の先端部にこれら作用部を形成することにより、押圧力や牽引力等を容易に作用させることができる。
【００２３】
また、上記一対の腕部の間に開口が形成される。このため、この開口に手足を挿入して押圧操作、捩じり操作を行うことも可能となる。また、腕部が枠部に隣接する枠構造を構成することになるため、この腕部を握持等して器具を操作することができる。たとえば、上記腕部に手指を掛止して、使用者の腕の重さを利用して、上記略Ｊ字状作用部を身体に作用させることができる。また、上記略Ｊ字状作用部に手指を掛止して、上記腕部の先端に形成した略Ｃ字状作用部又は上記環状作用部を身体に作用させることができる。すなわち、方形枠部の４辺の外側に延出する作用部を設けることにより、一つの作用部を身体に作用させる場合に、他の作用部を手指で握持することができるのである。したがって、健康器具自体の操作性もさらに向上する。
【００２４】
上記円環状の作用部は、足指、手指を係止できる大きさに形成するのが望ましい。足指、手指を係止した状態で枠部等を牽引すると、手足の指部に押圧力を作用させることができる。
【００２５】
また、手足の先端部分に牽引力を作用させることができるため、腕部全体、あるいは脚部全体を牽引してこれら部位の筋肉を伸張させることができる。したがって、健康体操、美容体操等に採り入れることもできる。
【００２６】
本願の請求項２に記載した発明は、上記中央開口を挟んで対向する一方の２辺の外側に、異なる大きさの略Ｊ字状の作用部をそれぞれ配置したものである。
【００２７】
略Ｊ字状の作用部は、肩部、腰部、背部、足裏部等、身体のさまざまな部分に適用することができ、従来から同様の形態を備えるものが提案されている。ところが、従来の指圧器具は、一つの器具に一つの大きさの作用部しか備えていなかったため適用部位が限定され、身体の様々な部位に適用しようとすると、大きさの異なる複数の指圧器具を揃える必要があった。
【００２８】
本願発明に係る健康器具は、枠部の周囲に複数の作用部を配置できるため、操作性を低下させることなく、大きさの異なる略Ｊ字状作用部を配置することができる。しかも、これら作用部を中央開口を挟んで対向する枠部の外側に配置すると、一方のＪ字状作用部を身体に当てた状態で、他方のＪ字状作用部を握持して操作を行うことができるため、押圧操作がきわめて容易になる。たとえば、床面に一方の略Ｊ字状作用部の外側部を接触させた状態で足裏等をＪ字端部に載せ、脚の重量を作用させた状態で他方のＪ字状作用部を揺動させて押圧操作を行うこともできる。
【００２９】
本願の請求項３に記載した発明は、上記枠部に、上記略Ｊ字状作用部の端部に対して所定間隔を開けて対向する突起状作用部を形成したものである。
【００３０】
上記突起状作用部は、単独で、あるいは略Ｊ字状作用部と共働して、身体各部を押圧するように構成されている。特に、上記略Ｊ字状作用部の端部と突起状作用部とのあいだの間隔を背腹部（脇腹）、あるいは大腿部を挿入できる間隔に設定すると、これらの部分を両側から挟み付けるようにして押圧操作を行うことが可能となる。
【００３１】
本願の請求項４に記載した発明は、上記枠部の内側部及び／又は上記腕部の内側部に、上記枠部を含む平面に沿って突出する一又は二以上の突起状作用部を設けたものである。
【００３２】
上述したように、本願発明に係る健康器具は、中央開口及び腕部の間に形成される開口を用いて押圧操作を行うことができる。したがって、これら開口の内側部に突起状作用部を形成することにより、より高い指圧効果を期待できる。しかも、上記突起状作用部は、枠部、腕部を含む平面に沿って突出形成されているため、器具全体の寸法を増加させることはない。
【００３３】
本願の請求項５に記載した発明は、上記枠部及び／又は腕部に、上記枠部を含む平面に対して立ち上がるように突出する一又は二以上の押圧突起を設けたものである。
【００３４】
本願発明は、健康器具の基本形状を含む平面から立ち上がる押圧突起を形成することにより、より高い指圧効果を発揮させるように構成したものである。
【００３５】
すなわち、本願発明に係る健康器具は、各作用部が一つの平面に沿って形成されているため、床等の平坦面に沿って載置した場合の安定性がきわめてよい。上記押圧突起を形成することにより、床等に健康器具を載置した状態で、使用者自身の体重を利用して背部等の押圧操作を行うことができる。
【００３６】
しかも、本願発明に係る健康器具は枠構造を備えるため、様々な位置に複数の押圧突起を形成できる。このため、身体の様々な部位に、体重を利用した押圧操作を行うことが可能となる。
【００３７】
【発明の実施の形態】
以下、本願発明の実施の形態を、図に基づいて具体的に説明する。
【００３８】
図１に本願発明の健康器具の全体形状を示す。また、図２に左側面図（図１におけるＡ方向矢視図）、図３に図１におけるＣ−Ｃ線に沿う断面図、図４に右側面図（図１におけるＢ方向矢視図）、図５に底面図（図１におけるＥ方向矢視図）、図６に図１におけるＦ−Ｆ線に沿う断面図、図７に平面図（図１におけるＤ方向矢視図）を示す。
【００３９】
本実施の形態に係る健康器具１は、樹脂製板材をくり抜き加工して形成されており、１つの平面に沿う枠状構造を備えている。
【００４０】
図１に示すように、健康器具１は、中央開口２を囲むように形成された方形の枠部３と、この枠部３の四辺３ａ，３ｂ，３ｃ，３ｄから延出形成された複数の作用部４，５，６，７，８とを備えて形成される。
【００４１】
作用部４及び５は、大きさの異なる略Ｊ字状に形成されており、これらＪ字基端部が中央開口２を挟んで対向する枠部３から延出するように形成されている。一方、作用部６は、枠部３から上記作用部４，５のＪ字先端部に向かって突出する突起状に形成されている。
【００４２】
作用部７は外側に向けて開口するＣ字状に、作用部８は円環状にそれぞれ形成されている。作用部７は、互いに対向して伸びる一対の腕部９ａ，９ｂの先端部に、作用部８は、互いに対向して伸びる一対の腕部１０ａ，１０ｂの先端部にそれぞれ形成されている。
【００４３】
上記各作用部を、方形枠部３の周りに配置することにより、各作用部を適度な間隔をおいて配置することができる。したがって、一つの作用部を使用している時に、他の作用部が身体等に干渉するといったことがなくなり、健康器具１の操作性が向上するとともに、効果的な指圧効果を発揮させることができる。
【００４４】
また、枠組構造を備えるため、押圧する部位、押圧方向等に応じて握持する部分を種々選択できる。このため、使用者の体型、姿勢、運動能力、作用力等に応じてバラエティに富んだ使用が可能となる。また、複数の作用部を備えているにもかかわらず、健康器具１の全体の重量がそれほど増加することもない。このため、器具の取り扱いを容易に行うことができる。しかも、全体が１つの平面に沿って形成されているため、収納が容易となる。
【００４５】
図８から図１７は、本実施の形態に係る健康器具１の各作用部の使用態様を示したものである。
【００４６】
図８は、略Ｊ字状の作用部４を床面１１に載置した状態で、使用者の足裏１２を押圧している状態を示す。本実施の形態に係る健康器具１においては、大きさの異なる略Ｊ字状作用部４，５を、中央開口２を挟んで対向する枠部３の外側にそれぞれ延出形成している。このため、足裏１２に当接させた作用部４と反対側の作用部５を、使用者の手指で握持して操作を行うことができる。したがって、健康器具１を揺動させながら押圧操作を行うことも容易にでき、指圧効果を高めることができる。
【００４７】
図９は、足を伸ばして座った姿勢の使用者の足裏に略Ｊ字状の作用部５を係止する一方、作用部４を使用者が握持して下肢を牽引している状態を示している。この図に示すように、ふくらはぎの筋肉が伸張させられているのがわかる。すなわち、本願発明に係る健康器具１は、牽引作用によって筋肉を伸張させるように操作することができる。
【００４８】
図１０に、略Ｊ字状の作用部５を用いて、使用者の腰部を押圧している状態を示す。図に示すように、大きい方のＪ字状作用部５と枠部３との間に胴部を位置させ、小さい方のＪ字状作用部４を握持して使用者の前方に力を作用させて、腰部あるいは背部を押圧している。また、上記Ｊ字状作用部５に対向するように突起状作用部６を形成しているため、上記と逆方向に力を作用させると腹部の指圧効果を得ることもできる。
【００４９】
図１１に、Ｃ字状の作用部７を用いて、足指の牽引操作を行っている状態を示す。この図に示すように、椅子に座った姿勢で、足指あるいは甲部を上記Ｃ字状作用部７の開口部１６に挿入係止して円環状作用部８を斜め上方に引きあげ、足指等に牽引力を加える。これにより、足裏が伸張させられるとともに足指に押圧力が作用し、従来にない指圧効果を発揮させることができる。
【００５０】
図１２に、略Ｃ字状作用部７を用いて手の甲に押圧力を作用させている状態を示す。この図に示すように、略Ｃ字状作用部７の開口部１６に掌を挿入係止して、健康器具１をぶら下げるようにして力を作用させる。健康器具１の重量を利用することができるため、手指、あるいは手甲の押圧操作を極めて容易に行うことができる。
【００５１】
図１３に、環状作用部８を用いて足指の牽引操作を行っている状態を示す。この図に示すように、環状作用部８に、各足指を係止して牽引操作を行うことが可能となる。
【００５２】
図１４及び図１５は、中央開口２あるいは腕部９，１０の内側に形成される開口１３を用いた操作態様を示している。
【００５３】
図１４に示すように、中央開口２に、使用者のふくらはぎ、あるいはふとももを挿入するとともに矢印方向に力を加えると、てこの原理を利用して押圧力を作用させることができる。これにより、ふくらはぎ、ふともも等に押圧力を容易に作用させることが可能となる。また、中央開口３が方形状をしているため、ふとももに捩じり力を作用させることもできる。
【００５４】
図１５は、使用者の腕を開口１３に挿入して操作を行っている状態を示している。図から明らかなように、てこの原理を利用して軽い力で腕に押圧力を作用させることが可能となる。
【００５５】
図１６は、使用者の腹部に押圧力を作用させている状態を示す。この図に示すように、略Ｊ字状の作用部５を腹部に当接させるとともに、健康器具１の腕部９ａ，１０ａに手指を係止させる。これにより、使用者の腕の重さを利用して自分一人で極めて簡単に腹部の押圧操作を行うことができる。
【００５６】
図１７は、略Ｃ字状作用部７の開口部１６を利用して頸部の押圧操作を行っている状態を示している。略Ｃ字状作用部７の開口端部をうなじに当接させるとともに、両側のＪ字状作用部４，５を握持するだけで、頸部の押圧操作を使用者自ら行うことが可能となる。また、腕の重さを利用しているため、腕が疲れるといったこともない。
【００５７】
上述したように、本実施の形態に係る健康器具は、従来の指圧器具では不可能であった部位に、使用者自ら押圧力を作用させることができる。しかも、牽引力を作用させることもできる。
【００５８】
また、基本的に健康器具の全体が一つの平面に沿う枠組構造で形成されているため、重量を軽減できるとともに、収納性が良いため邪魔にならず、取り扱いが極めて容易である。
【００５９】
しかも、各作用部を、枠部の周囲に配置するとともに一つの平面に沿って形成することにより、器具を極めて容易に製造することができる。本実施の形態のように、板状材料をくり抜き加工して形成することもできるし、射出成形、プレス成形等種々の成形方法を用いて製造することができる。このため、複数の作用部を備えながら、製造コストを低く抑えることも可能となる。
【００６０】
また、押圧操作のみならず、牽引操作、ねじり操作等を一つの器具で行うことができるため、リハビリ、健康体操等に取り入れることも可能となる。
【００６１】
本願発明は、上述の実施の形態に限定されることはない。実施の形態では、各作用部は、枠部と同じ厚さに形成したが、枠部を含む平面に沿って作用部を形成すればよく、作用部を枠部より厚く形成してもよい。
【００６２】
また、実施の形態では、各作用部を枠部３の外側に形成したが、図１８に示すように、上記枠部３の内側部に、上記枠部３を含む平面に沿って突出する一又は二以上の突起状作用部１４を設けることができる。この突起状作用部１４を設けることにより、図１４及び図１５に示す使用態様での指圧効果を高めることができる。
【００６３】
さらに、上述した各作用部は、枠部３を含む平面に沿って形成したが、この平面から立ち上がる方向に押圧突起を形成してもよい。たとえば、図１８に示すように、方形枠部３の各頂点近傍に、枠部３を含む平面から突出方向に４つの押圧突起１５を形成することができる。
【００６４】
上記押圧突起１５を用いて、使用者の背部あるいは胸部を押圧操作することができる。上記押圧突起１５は、枠部３を含む平面の一方に突出するように形成されており、押圧突起１５を形成した側と反対側を下にして床等に載置し、体重を利用して押圧操作を行うことができる。
【００６５】
なお、上記突起状作用部１４及び上記押圧突起１５の突出高さ、数、太さ等は図１８の実施の形態に限定されることはなく、目的に応じて変更することができる。
【００６６】
また、健康器具を形成する材料、製造方法も実施の形態に限定されることはなく、金属、木材等種々の材料で形成することができる。
【００６７】
また、枠部の形状、作用部の数等は実施の形態に限定されることはなく、３角形、５角形等の枠部を採用して、３つあるいは５つ以上の作用部を形成してもよい。
【図面の簡単な説明】
【図１】  本願発明に係る健康器具の全体を示す正面図である。
【図２】  図１に示す健康器具の左側面図である。
【図３】  図１におけるＣ−Ｃ線に沿う断面図である。
【図４】  図１に示す健康器具の右側面図である。
【図５】  図１に示す健康器具の底面図である。
【図６】  図１におけるＦ−Ｆ線に沿う断面図である。
【図７】  図１に示す健康器具の平面図である。
【図８】  本願発明に係る健康器具の使用態様を示す図である。
【図９】  本願発明に係る健康器具の使用態様を示す図である。
【図１０】  本願発明に係る健康器具の使用態様を示す図である。
【図１１】  本願発明に係る健康器具の使用態様を示す図である。
【図１２】  本願発明に係る健康器具の使用態様を示す図である。
【図１３】  本願発明に係る健康器具の使用態様を示す図である。
【図１４】  本願発明に係る健康器具の使用態様を示す図である。
【図１５】  本願発明に係る健康器具の使用態様を示す図である。
【図１６】  本願発明に係る健康器具の使用態様を示す図である。
【図１７】  本願発明に係る健康器具の使用態様を示す図である。
【図１８】  本願発明に係る健康器具の他の実施の形態を示す斜視図である。
【符号の説明】
１  健康器具
２  中央開口
３  枠部
４  略Ｊ字状作用部
５  略Ｊ字状作用部
６  突起状作用部
７  略Ｃ字状作用部
８  環状作用部
９ａ  腕部
９ｂ  腕部
１０ａ  腕部
１０ｂ  腕部
１３  開口
１５  押圧突起
【図１】
0004072635.tif 000002
【図２】
0004072635.tif 000003
【図３】
0004072635.tif 000004
【図４】
0004072635.tif 000005
【図５】
0004072635.tif 000006
【図６】
0004072635.tif 000007
【図７】
0004072635.tif 000008
【図８】
0004072635.tif 000009
【図９】
0004072635.tif 000010
【図１０】
0004072635.tif 000011
【図１１】
0004072635.tif 000012
【図１２】
0004072635.tif 000013
【図１３】
0004072635.tif 000014
【図１４】
0004072635.tif 000015
【図１５】
0004072635.tif 000016
【図１６】
0004072635.tif 000017
【図１７】
0004072635.tif 000018
【図１８】
0004072635.tif 000019